(57)【要約】      （修正有）【課題】両手を開放するために、手に持っている手提げバッグ等を簡単に背負うことができるための日常携帯できる簡易で軽く絡みにくい背負い紐を提供する。【解決手段】一端に留め部２３が形成されていて、該留め部から先が接続具によって離合できる帯状の２本の紐で、この２本の紐はそれぞれの先端部に連結具２２を備えていて、手提げ付の荷物の下方から表面の中央部に前記留め部を当てがい、前記分離した２本の紐の連結具側を前記手提げ付荷物の手提げ部の付け根にそれぞれ巻き付けて掛けるとともにその先端部にある連結具と前記留め部３１とを結合することによって背負うための腕を通せる２つの輪を作り、ここに肩を通して前記手提げ付の荷物３０を背負うとその表面をＸ字状に固定して背負うことが可能となることで背負い紐を構成している。【選択図】図２
0003121499.tif 000002
【実用新案登録請求の範囲】
【請求項１】
一端に留め部が形成されていて、該留め部から先が接続具によって離合できる帯状の２本の紐で、この２本の紐はそれぞれの先端部に連結具を備えていて、この連結具と前記留め部とを結合することによって、この結合された部位を基点として前記接続具を離合することによって前記２本の紐を１本または２本の環状紐となし、この１本または２本の環状紐部に荷物を配置するとともに、肩に掛けて荷物を背負うことを特徴とする背負い紐。
【請求項２】
手提げ付の荷物を背負う背負い紐であって、この紐の一端に留め部が形成されていて、該留め部から先が接続具によって離合できる帯状の２本の紐で、この２本の紐はそれぞれの先端部に連結具を備えていて、前記手提げ付の荷物の下方から表面の中央部に前記留め部を当てがい、前記分離した２本の紐の連結具側を前記手提げ付荷物の手提げ部の付け根にそれぞれ巻き付けて掛けるとともにその先端部にある連結具と前記留め部とを結合することによって背負うための腕を通せる２つの輪を作り、ここに肩を通して前記手提げ付の荷物を背負うとその表面をＸ字状に固定して背負うことができることを特徴とする背負い紐。
【請求項３】
請求項１および請求項２記載の接続具と帯状の２本の紐はスライド式ファスナーで構成されていることを特徴とする請求項１および請求項２記載の背負い紐。
【請求項４】
請求項１および請求項２記載の接続具と帯状の２本の紐は面ファスナーで構成されていることを特徴とする請求項１および請求項２記載の背負い紐。
【考案の詳細な説明】
【技術分野】
【０００１】
この考案は背負い紐に関する。
【背景技術】
【０００２】
従来は、日常背負うことが困難な物を、荷物の容量や形状に関係なしに背負うことができる、数個のリングに数本の強度のあるベルト、テープやロープ、紐類等を接合しそれぞれのベルトには調節金具や着脱金具を有してリュックの機能を果たすことのできるベルトリュックが提案されている（例えば、特許文献１参照。）。
【０００３】
しかしながら、ベルトリュックは日常背負うことが困難な物を背負うことを目的としているため、複数のリングや複数のベルト、テープやロープ、紐類等を接合し調節金具や着脱金具を用いてその目的に対応できるようにしている。そのために重量が重くなり、絡まりやすくなるので日常携帯するには適さないという問題がある。
【０００４】
また、手提げ鞄等の把手部を保持する保持具を設けた背負いバンドを一対設け、この背負いバンドに手提げ鞄等を保持し、リュックサックのように背中に手提げ鞄等を背負うことができる手提げ鞄等の背負い具が提案されている（例えば、特許文献２参照。）。
【０００５】
しかしながら、手提げ鞄等の背負い具は保持具を枢設した２本の保持バンドと一対の背負いバンドと連接バンドで構成されており、バンドが複数となり絡まりやすいので日常携帯するには適さないという問題がある。また２つの保持具で保持する作業と２つの固定具で固定する作業、場合によっては連接バンドに設けた調整金具を調整する作業とがあり煩雑であるという問題がある。
【０００６】
また、長さ調節を可能にする留め具を有した１本のバンドで、その両端と荷物の提げ手をつなぐ三又フックを有し、バンドを挟み込むための切込みを有した固定板と荷物とその荷物に取り付けられたバンドでリュックサック状を形成し簡単に荷物を背負える形にするリュックバンド及び荷物背負い方法が提案されている（例えば、特許文献３参照。）。
【０００７】
しかしながら、リュックバンド及び荷物背負い方法のリュックバンドは、バンドと固定板の２つで構成されているので、組み合わせるものはそれぞれバラバラになりやすく日常携帯するには適さないという問題がある。またバンドは１本で構成されているが背負い部が非常に長いため絡みやすく、日常携帯するには適さないという問題がある。さらに荷物の固定のために粘着剤を使用するので常に粘着力の確認が必要になり煩雑である。場合によっては粘着剤も一緒に携帯することが必要になり簡易性という点において問題がある。
【特許文献１】実開平６−２４５２９号公報
【特許文献２】実開平６−８２９２６号公報
【特許文献３】特開２００３−５２４４１号公報
【考案の開示】
【考案が解決しようとする課題】
【０００８】
この考案は、従来の構成が有していた上記のような問題を解決するためになされたもので、紐が１本になり、短く軽く絡みにくく日常手提げバッグ等の中に入れて携帯することができ、突然の災害時や急な天候の変化時、両手を開放したい時などに、すぐに取り出して簡単に手提げバッグ等に取り付けることができ、また組み合わせのない単純な構成で、粘着剤等が不要、さらに落下の心配なくバタつきなく背負うことのできる背負い紐を提供することを目的とするものである。
【課題を解決するための手段】
【０００９】
上記の目的を達成するために、一端に留め部が形成されていて、該留め部から先が接続具によって離合できる帯状の２本の紐で、この２本の紐はそれぞれの先端部に連結具を備えていて、手提げ付荷物の下方から表面の中央部に前記留め部を当てがい、前記分離した２本の紐の連結具側を前記手提げ付荷物の手提げ部の付け根にそれぞれ巻き付けて掛けるとともにその先端部にある連結具と前記留め部とを結合することによって背負うための腕を通せる２つの輪を作り、ここに肩を通して前記手提げ付荷物を背負うとその表面をＸ字状に固定して背負うことができることが可能になることで背負い紐を構成している。
【考案の効果】
【００１０】
この考案である背負い紐は、接続具により背負い部が１本になるため絡まりやすさが減少し、全体的な長さが従来の考案品より短くなるので軽くできる。分離された背負い部が手提げ付荷物の底部２箇所を支え、さらにそれぞれの手提げ部の付け根に巻き付けて掛けられるので背負った手提げ付荷物が落下する心配がなく、また分離された背負い部が手提げ付荷物の表面をＸ字状に固定するのでバタつきがなく安定する。したがって、特に災害等で帰宅難民になった時の長時間歩行のための両手開放に効果が期待できる。状況によっては背中に背負うだけでなく前側に手提げ付荷物を保持することもできる。背負い部に用いるスライド式ファスナーまたは面ファスナーの両端部を連結具取り付けのためや留め部作成のために利用できるので他の布やテープ、ベルト等を用いる必要がなくその費用と作業と時間が不要で簡易になりさらに軽くできる。そのために手提げバッグ等の中に入れて日常携帯することができ、突然の災害時や急な天候の変化時、両手を開放したい時などに直ぐに取り出して簡単に取り付けて背負うことができる。使用に際して通常は衣服を着用しているので、スライド式ファスナーを用いた背負い部のエレメントが肩や皮膚等に対して問題となることはなく、手提げ部の付け根に巻き付けて掛けた背負い部がエレメントの凹凸による引っ掛かりでずれにくくなるという効果がある。面ファスナーを背負い部に用いた場合は肩に対して接続面を外側にして使用すると肩や皮膚等に接続面の接続具であるループやフックが支障となることはなく、接続面を内側にして使用するとループやフックが凹凸となり衣服との摩擦力で背負い部が肩からずり落ちにくくなるという効果がある。
【考案を実施するための最良の形態】
【００１１】
以下、図面に示す考案を実施するための最良の形態により、この考案を説明する。
【００１２】
図１および図２のこの考案を実施するための最良の形態において、図１はスライド式ファスナーで構成されている背負い紐２０の全体を示す。１０はスライド式ファスナーである。以下スライド式ファスナーの１はテープ、２はエレメント、３はスライダー、４は上止、５は上耳部分、６は下止、７は下耳部分である。１１はバックルである。２１はスライド式ファスナー１０の１、２、３からなる背負い部、２２は前記背負い部２１のスライド式ファスナー１０の５、５に取り付けられた互いに連結可能なバックル１１、１１からなる連結具、２３は前記背負い部２１のスライド式ファスナー１０の７、７を縫合して形成された筒状の仕切りからなる留め部である。スライダー３により背負い部２１、２１が離合可能である。
【００１３】
図２は上記構成の背負い紐２０を使用して手提げ付荷物３０を背中に背負った様子を示す。手提げ付荷物３０の底部２箇所を背負い部２１、２１が支え、それぞれの手提げ部３１の付け根に巻き付けて掛けられ、表面がＸ字状に固定されているのが分かる。
【００１４】
上記構成の背負い紐２０の製作は、約１２０センチの長さのスライド式ファスナー１０に上止４から約４センチの上耳部分５と下止６から約１６センチの下耳部分７を確保する。スライダー３とエレメント２付テープ１、１を背負い部２１、２１として、上耳部分５、５を連結具２２用として、下耳部分７、７を留め部２３用として用いる。背負い部２１、２１は、エレメント２付のテープ１、１およびスライダー３から成るので離合可能になる。スライド式ファスナー１０の上耳部分５、５をバックル１１、１１のテープ挿入口に通し縫い付け、背負い部２１、２１を分離した状態で互いに連結できるようにする。留め部２３の作成は、まず、下耳部分７、７を縫合し１本のテープ状にする。この縫合の仕方はジグザク縫い等を幾何学模様のようにしたり、スライド式ファスナーの色と異なる色の糸を用いたりすると本来の目的である縫合にファッション性を付加できる。次に１本のテープ状になった下耳部分７、７を半分の長さに折り曲げて２つの筒状の隙間ができるように仕切りを縫う。２つの隙間を作る目的は二段階の留め部２３の位置により対応範囲を広げるためである。筒状の隙間はバックル１１の大きさに合わせると使用時にずれにくく収まりがよい。バックル１１をスライド式ファスナー１０と異なる色にしたり、留め部２３の縫合糸と色を合わせたりするのも一案である。また、連結具２２や留め部２３に他のプラスチック具等を用いて製作することもできる。背負い紐２０は３種類位の長さのものでそれぞれ製作すると広範囲の体型に対応できる。
【００１５】
上記構成の背負い紐の使用方法を説明する。まず、背負い部２１、２１を分離して手提げ付荷物３０の下方から表面の中央部３２に留め部２３を当てがい、バックル１１、１１を持って背負い部２１、２１が手提げ付荷物３０の底部を通って一巻きするようにして、バックル１１、１１も手提げ付荷物３０の表面の中央部３２にくるようにする。次に、片方のバックル１１から前記留め部２３で連結できる長さを残して、背負い部２１を手提げ付荷物３０の片側の重なった２本の手提げ部３１の付け根に複数回巻き付けて掛ける。背負い部２１を巻き付けて掛けることにより手提げ付荷物３０の裏側に背負うための腕を通せる輪ができる。他方の背負い部２１も同様に巻き付けて掛けるが、片方を外側から巻き付けた場合は他方も外側から巻き付けると左右のバランスがとれる。手提げ付荷物３０の大きさや形状に合わせて巻き付け方や回数を調整する。さらに、片方のバックル１１を前記留め部２３の１つに通し他方のバックル１１と連結して留め部２３に戻すと連結具と留め部が結合され、手提げ付荷物３０の表面の中央部３２で留め部２３を中心として背負い部２１、２１がＸ字状になる。手提げ付荷物３０の片方の手提げ部３１の付け根に巻き付けた背負い部２１と手提げ部３１を一緒に持って手提げ付荷物３０を背中にまわして背負う。背負ったら手提げ付荷物３０の底部に背負い部２１、２１が均等に渡るようにする。背負った状態ではＸ字状になった背負い部２１、２１が手提げ付荷物３０の表面を固定する。通常は背負い部のエレメント２、２が肩や皮膚等に対して問題となることはないが、季節により露出している場合などにはハンカチ等を当てると対応できる。背負い紐２０は小袋に入れると携帯しやすく、またその小袋自体も背負い紐２０の使用時に携帯電話入れ等として背負い部２１に取り付けて利用することができる。
【００１６】
次に図３及び図４に示すこの考案を実施するための異なる形態について説明する。なお、この考案を実施するための異なる形態の説明において前記この考案を実施するための最良の形態と同一構成部分については同一符号を付して重複する説明を省略する。    
【００１７】
図３は面ファスナーで構成されている背負い紐２０の全体を示す。１５は面ファスナー、１６はナスカン、１７はＤカン、１８は面ファスナーの接続面のループ、１９は面ファスナーの接続面のフックである。ループとフックが接続具となり離合可能である。前記この考案を実施するための最良の形態との大きな相違点は背負い部２１が面ファスナー１５で構成されていることであるが、このように構成された背負い紐２０にしても、最良の形態と同様の作用効果が得られる。
【００１８】
図４は面ファスナー１５の端部で留め部２３が形成されている様子を示す。面ファスナー１５の端部で留め部２３を作成すると連結具２２としてバックル１１を用いることができる。
【００１９】
上記構成の背負い紐２０は面ファスナー１５を背負い部２１に用い、留め部２３にＤカン１７を用い、連結具２２としてナスカン１６を用いて製作する。面ファスナー１５は接続した状態で長手方向を背負い部２１として約１２０センチ、一端に留め部２３用約８センチ、他端に連結具２２用約４センチの長さを確保する。まず、連結具２２用の４センチの接続面を分離して、ナスカン１６、１６のテープ挿入口に端部を外側から通して縫い付け、裁断部分が双方とも内側になるようにする。内側にする理由は裁断部を見えないようにし、接続面を表側に出さないようにすることで外観をすっきりさせるためである。次に、留め部２３用の端部と背負い部２１の境を、接続面を接続したままでしっかり縫い付ける。縫ったところまで接続面を分離し、片側を他方の半分の長さに裁断する。長さの違いは二段階の留める位置を作成して対応範囲を広げるためである。分離した面ファスナーの端部を接続面に対してそれぞれ内側に折り曲げＤカン１７、１７のテープ挿入口に通して縫い付ける。内側に折り曲げる理由はナスカン１６、１６の取り付けと同様である。端部の長さが違うので二段階の位置の留め部２３ができる。面ファスナー１５には各種の幅サイズがあるが細い方が手提げ付荷物３０の手提げ部３１に巻き付けやすく、ナスカン１６やＤカン１７等のテープ挿入口に対応しやすいので製作に適している。その他、連結具２２と留め部２３は例えばナスカン１６と金属リングのように多種の組み合わせが可能である。
【００２０】
図４に示すような面ファスナー１５の端部で留め部２３を作成する場合は、接続した状態の面ファスナー１５の留め部２３用の長さとして、用いるバックル１１の大きさに対応する長さの２倍を確保する。背負い部２１と留め部２３の境をしっかり縫い付ける。留め部２３用の接続面を分離し片側の長さが他方の半分になるように裁断する。短い方を接続面に対して外側に折り曲げてバックル１１の大きさに対応した筒状の隙間ができるようにして縫い付ける。長い方も外側に折り曲げて短い方で作った筒状の隙間より先の方に同様の隙間ができるように縫い付ける。それぞれ外側に折り曲げることで、接続面のループ１８や接続面のフック１９が外側になり留め部２３となる筒状の隙間の内側がすっきりするのでバックル１１が引っ掛からずに通しやすい。また、接続面に対してそれぞれ外側ではなく内側に折り曲げたものや、内側に曲げるものと外側に曲げるものを混在させたりすることもできる。いずれも縫い付けるだけなので簡易にできる。
【００２１】
上記構成の背負い紐２０の使用方法は、基本的に最良の形態の前記構成の背負い紐と同様であるが、双方のナスカン１６、１６を互いに連結するのではなくＤカン１７に留めるという点で異なる。この留め方はナスカン１６、１６がＤカン１７に固定されるので連結具２２が留め部２３からずれないという利点になる。但し図４に示すような面ファスナー１５の端部で留め部２３を作成すると最良の形態の前記構成の背負い紐と同様に連結具を互いに連結することとなる。尚、面ファスナー１５の構成上、使用時に背負い部２１、２１の接続面が手提げ付荷物３０に対し左右非対称になり肩に対しても同様となるが、問題となる場合は背負った時に手提げ付荷物３０の底部や脇の下等で片方の背負い部２１を反転させると解決する。
【００２２】
面ファスナーを用いた背負い紐は基本的にスライド式ファスナーを用いた背負い紐と同様の装着方法や使用方法を可能にしている。
【産業上の利用可能性】
【００２３】
この考案は、背負い紐を製造する産業で利用される。
【図面の簡単な説明】
【００２４】
【図１】この考案に係る最良の形態の構成を示す図である。
【図２】この考案に係る最良の形態を使用した様子を示す図である。
【図３】この考案に係る異なる形態の構成を示す図である。
【図４】異なる形態において留め部の他の一例を示す図である。
【符号の説明】
【００２５】
１  スライド式ファスナーのテープ
２  スライド式ファスナーのエレメント
３  スライド式ファスナーのスライダー
４  スライド式ファスナーの上止
５  スライド式ファスナーの上耳部分
６  スライド式ファスナーの下止
７  スライド式ファスナーの下耳部分
１０  スライド式ファスナー
１１  バックル
１５  面ファスナー
１６  ナスカン
１７  Ｄカン
１８  面ファスナーの接続面のループ
１９  面ファスナーの接続面のフック
２０  背負い紐
２１  背負い部
２２  連結具
２３  留め部
３０  手提げ付荷物
３１  手提げ部
３２  手提げ付荷物の表面の中央部
【図１】
0003121499.tif 000003
【図２】
0003121499.tif 000004
【図３】
0003121499.tif 000005
【図４】
0003121499.tif 000006